(57)【要約】【課題】より簡易な構成で好適に排尿を処理することができる自動排尿処理装置を実現する。【解決手段】自動排尿処理装置１００は、陰圧を生じさせる吸引パック３と、吸引パック３の陰圧によって通気を遮断するように流路を閉じることと、排尿時にその尿の内圧によって流路を開くことを切り替え可能な弁チューブ２３を備えているので、排尿時には尿を吸引パック３に吸引し、排尿時以外では吸引を停止するように自動的に切り替えることによって、好適に排尿を処理することを可能にした。【選択図】図１
2010081981.tif 000002
【特許請求の範囲】
【請求項１】
使用者が排泄する尿を受ける尿レシーバと、陰圧を生じさせて内部に尿を吸引する吸引パックと、前記尿レシーバと前記吸引パックとを繋ぐ導尿チューブと、を備える自動排尿処理装置であって、
前記導尿チューブは、
前記尿レシーバ側に接続される第一チューブと、
前記吸引パック側に接続される第二チューブと、
前記第一チューブと前記第二チューブとを接続する弁チューブと、
を備え、
前記弁チューブは、前記吸引パックが生じさせた陰圧によって圧縮され、当該弁チューブ内の通気を遮断することと、前記第一チューブ側から当該弁チューブに送り込まれた尿によって拡張され、その尿を通過させることを、切り替え可能に構成されていることを特徴とする自動排尿処理装置。
【請求項２】
前記弁チューブは、前記吸引パックが生じさせる陰圧によって、その内壁面同士が密着可能な柔軟性を有する素材からなり、
前記第一チューブ及び前記第二チューブは、尿が通過可能な空間を維持する剛性を有する素材からなることを特徴とする請求項１に記載の自動排尿処理装置。
【請求項３】
前記弁チューブの内壁面には、当該弁チューブが圧縮された際に空間を残さず、対向する内壁面同士を密着させるための凹凸が設けられていることを特徴とする請求項１又は２に記載の自動排尿処理装置。
【請求項４】
前記弁チューブは、前記第一チューブ及び前記第二チューブよりも小さな内径を有することを特徴とする請求項１〜３の何れか一項に記載の自動排尿処理装置。
【請求項５】
前記弁チューブの外側を覆う保護チューブを備えることを特徴とする請求項１〜４の何れか一項に記載の自動排尿処理装置。
【発明の詳細な説明】
【技術分野】
【０００１】
本発明は、自動排尿処理装置に係り、特に、自分の意思で排尿のコントロールや始末が困難な人に装着して排尿を処理する自動排尿処理装置に関する。
【背景技術】
【０００２】
一般に、自力歩行が困難となった老人や、けがや病気での入院患者などは、自分の意志で排尿をコントロールすることが困難になることがある。そのような場合に使い捨ての紙おむつを使用することがあるが、その使用済みの紙おむつを自力で後始末することも困難であることがある。
このような人の排尿を処理するために、尿レシーバ１０で受けた尿を真空ポンプなどによって吸引し、導尿チューブ２０を通じて尿タンクや尿パックなどの容器３０に集尿するようにした自動排尿処理装置２００が知られている（例えば、特許文献１参照。）。
【特許文献１】特開２００４−２６７５３０号公報
【発明の開示】
【発明が解決しようとする課題】
【０００３】
しかしながら、上記従来技術の場合、図７に示すように、尿レシーバ１０にセンサ１５を備えて、そのセンサ１５が尿を検知したことに伴い、真空ポンプを作動させたり、導尿チューブ２０の電磁弁２５を開いたりする電気的なシステムになっているので、漏電や誤作動などのトラブルの問題や、センサ１５や電磁弁２５などを備えることによるコスト増大の問題などがあった。
また、センサ１５や電磁弁２５、ポンプなどを備えずに、尿パック自体が発生させる陰圧によって、導尿チューブ２０を介して尿パック内に尿を吸引する場合、排尿がないときに空気を吸引してしまい、尿パックが空気で満たされてしまうという問題があった。
【０００４】
本発明の目的は、より簡易な構成で好適に排尿を処理することができる自動排尿処理装置を提供することである。
【課題を解決するための手段】
【０００５】
以上の課題を解決するため、請求項１に記載の発明は、
使用者が排泄する尿を受ける尿レシーバと、陰圧を生じさせて内部に尿を吸引する吸引パックと、前記尿レシーバと前記吸引パックとを繋ぐ導尿チューブと、を備える自動排尿処理装置であって、
前記導尿チューブは、
前記尿レシーバ側に接続される第一チューブと、
前記吸引パック側に接続される第二チューブと、
前記第一チューブと前記第二チューブとを接続する弁チューブと、
を備え、
前記弁チューブは、前記吸引パックが生じさせた陰圧によって圧縮され、当該弁チューブ内の通気を遮断することと、前記第一チューブ側から当該弁チューブに送り込まれた尿によって拡張され、その尿を通過させることを、切り替え可能に構成されていることを特徴とする。
【０００６】
請求項２に記載の発明は、請求項１に記載の自動排尿処理装置において、
前記弁チューブは、前記吸引パックが生じさせる陰圧によって、その内壁面同士が密着可能な柔軟性を有する素材からなり、
前記第一チューブ及び前記第二チューブは、尿が通過可能な空間を維持する剛性を有する素材からなることを特徴とする。
【０００７】
請求項３に記載の発明は、請求項１又は２に記載の自動排尿処理装置において、
前記弁チューブの内壁面には、当該弁チューブが圧縮された際に通気可能な空間を残さず、対向する内壁面同士を密着させるための凹凸が設けられていることを特徴とする。
【０００８】
請求項４に記載の発明は、請求項１〜３の何れか一項に記載の自動排尿処理装置において、
前記弁チューブは、前記第一チューブ及び前記第二チューブよりも小さな内径を有することを特徴とする。
【０００９】
請求項５に記載の発明は、請求項１〜４の何れか一項に記載の自動排尿処理装置において、
前記弁チューブの外側を覆う保護チューブを備えることを特徴とする。
【発明の効果】
【００１０】
本発明によれば、自動排尿処理装置は、吸引パックの陰圧によって通気を遮断するように流路を閉じることと、排尿時に送り込まれた尿によって拡張されて流路を開くことを切り替え可能な弁チューブを備えているので、排尿時には流路を開いて尿を吸引パックに吸い込み、排尿時以外では吸引パックへの流路を閉じて、吸引パックがそれ以上膨らまないようにすることができる。
つまり、自動排尿処理装置は、尿レシーバを装着した使用者が排尿した際には、弁チューブにおける流路を自動的に開いて尿を吸引パックに吸引し、排尿がない場合には、弁チューブにおける流路を自動的に閉じて吸引パックの吸引を停止する状態を維持することができるので、このような簡易な構成であっても好適に排尿を処理することができる。
【発明を実施するための最良の形態】
【００１１】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１２】
（実施形態１）
自動排尿処理装置１００は、図１に示すように、使用者が排泄する尿を受ける尿レシーバ１と、陰圧を生じさせて内部に尿を吸引する吸引パック３と、尿レシーバ１と吸引パック３とを繋ぐ導尿チューブ２と、を備えている。
【００１３】
尿レシーバ１は、使用者が装着するおむつや下着の中であって、股下の所定位置に配置される部材である。
この尿レシーバ１は、使用者の股間にフィットするとともに、その使用者が排泄した尿をこぼさないように受けることが可能なカップ形状を有しており、その内側で受けた尿を送出する送出口を備えている。
なお、尿レシーバ１の構成や形状は従来公知のものと同様であるので、ここでは詳述しない。
【００１４】
吸引パック３は、例えば、袋状の液体収容部と、その液体収容部に配設されて液体収容部の容積を増大させる容積可変手段と、を備えている。
液体収容部は、その内部に吸引した尿を貯留することができる袋状の部材であり、尿を吸引する吸引口と、貯留した尿を排出するための排出口を備えている。なお、液体収容部は、半日分や一日分など使用者の排尿量や、介助者が吸引パック３を交換するタイミングに応じた容量を有することが好ましい。
容積可変手段は、例えば、板ばねやコイルばね等の弾性変形可能な部材と、液体収容部に当接する部材を有し、液体収容部を膨らませてその内容積を増大させる作用を奏する。
そして、吸引パック３において、例えば、収縮されて保持されていた容積可変手段のロックが解除されて、その容積可変手段が伸長変形することで、押し潰されていた液体収容部が容積可変手段によって膨らまされて袋の容積が増大される際に、液体収容部内に液体等を吸引する陰圧を発生させる。
この吸引パック３は、例えば、ジョンソン・エンド・ジョンソン株式会社製の「Ｊ−ＶＡＣ」など、周知の医療用具である。
なお、吸引パック３の構成や動作は従来公知のものと同様であるので、ここでは詳述しない。
【００１５】
導尿チューブ２は、尿レシーバ１側に接続される第一チューブ２１と、吸引パック３側に接続される第二チューブ２２と、第一チューブ２１と第二チューブ２２とを接続する弁チューブ２３と、を備えている。
第一チューブ２１の一端は尿レシーバ１の送出口に、第二チューブ２２の一端は吸引パック３の吸引口に、それぞれ接続されており、第一チューブ２１と第二チューブ２２の他端同士が弁チューブ２３に接続されている。
【００１６】
第一チューブ２１及び第二チューブ２２は、自動排尿処理装置１００の装着、使用状態に応じて撓曲可能であるとともに、尿が通過可能な空間を維持する剛性を有する素材からなり、例えば、金属性メッシュにて強化されたポリウレタンや、シリコンゴムなどからなるチューブである。
つまり、第一チューブ２１と第二チューブ２２は、使用状況等に応じて曲げられるものの、常に尿が通過可能な流路を確保しつつ変形するチューブである。
【００１７】
弁チューブ２３は、吸引パック３が生じさせる陰圧によって、その内壁面同士が密着することが可能な柔軟性を有する素材からなり、例えば、ポリエチレンフィルムが管形状に成形されたチューブである。
また、弁チューブ２３は、第一チューブ２１側から流れ込んだ尿によって、密着した弁チューブ２３の内壁面が剥離されて拡張される柔軟性を有している。
つまり、弁チューブ２３は、吸引パック３が生じさせた陰圧によって内壁面同士が密着するように圧縮され、弁チューブ２３内の通気を遮断することと、第一チューブ２１側から弁チューブ２１に送り込まれた尿によって拡張され、その尿を通過させることを、切り替え可能に構成されている。
【００１８】
なお、弁チューブ２３の内径は、第一チューブ２１及び第二チューブ２２の内径よりも小さく、弁チューブ２３は、第一チューブ２１と第二チューブ２２よりも細い流路を有することが好ましい。
弁チューブ２３が、第一チューブ２１及び第二チューブ２２よりも細いことで、その弁チューブ２３の圧縮と拡張による尿の流路の閉開の切り替えを速やかに行うことが可能になる。
【００１９】
次に、自動排尿処理装置１００の動作、機能について説明する。
【００２０】
自動排尿処理装置１００の尿レシーバ１が、使用者の股下（股間）に装着されて、吸引パック３が陰圧を発生させるようにセットされた状態において、使用者が排尿すると、尿レシーバ１は排泄された尿を受け、その尿を導尿チューブ２に送出する。
そして、尿レシーバ１から送出された尿は、図３（ａ）（ｃ）に示すように、第一チューブ２１、弁チューブ２３、第二チューブ２２の順に流れて、吸引パック３が生じさせた陰圧によって、吸引パック３内に吸引される。
【００２１】
そして、排泄された全ての尿が、導尿チューブ２の弁チューブ２３を通過すると、弁チューブ２３は、図３（ｂ）（ｄ）に示すように、吸引パック３による陰圧によって対向する内壁面同士が密着するように圧縮されて、弁チューブ２３内の通気を遮断する。
このように、排尿時以外での自動排尿処理装置１００において、吸引パック３による陰圧によって弁チューブ２３が圧縮されて、通気を遮断するように流路を閉じることになって、吸引パック３内への空気の流入を阻止するので、吸引パック３はそれ以上膨らまなくなり、排尿された尿を吸引し終えた状態に維持される。
【００２２】
次いで、使用者が次の排尿を行うと、その尿を受けた尿レシーバ１から送出された尿が第一チューブ２１側から弁チューブ２３に流れ込み、その流れ込んで送り込まれた尿により、密着していた弁チューブ２３の内壁面が離間されるように拡張されるので、弁チューブ２３の流路が開かれる。
つまり、図３（ｂ）に示すように、吸引パック３の陰圧によって弁チューブ２３の内壁面同士を密着させる圧力が“Ｐｂ”であり、図４（ａ）に示すように、弁チューブ２３に送り込まれる尿が弁チューブ２３の内壁面を押し広げる圧力が“Ｐａ”であるとすると、Ｐａ＞Ｐｂであるため、弁チューブ２３の流路が開かれるようになっている。
【００２３】
そして、図４（ｂ）に示すように、排尿された尿によって弁チューブ２３が拡張されると、その尿は導尿チューブ２を通過して吸引パック３内に吸引される。
その全ての尿が弁チューブ２３を通過すると、再度、弁チューブ２３は、吸引パック３による陰圧によって圧縮されて、図３（ｂ）（ｄ）に示すように、弁チューブ２３内の通気を遮断する。
【００２４】
このように、自動排尿処理装置１００は、吸引パック３の陰圧によって通気を遮断するように流路を閉じることと、排尿時にその尿の内圧によって流路を開くことを、切り替え可能な弁チューブ２３を備えているので、排尿時には流路を開いて尿を吸引パック３に吸い込み、排尿時以外では吸引パック３への流路を閉じて、吸引パック３がそれ以上膨らまないようにすることができる。
つまり、自動排尿処理装置１００は、自動排尿処理装置１００の尿レシーバ１を装着した使用者が排尿した際には、弁チューブ２３における流路を自動的に開いて尿を吸引パック３に吸引し、排尿がない場合には、弁チューブ２３における流路を自動的に閉じて吸引パック３の吸引を停止する状態を維持することができる。
【００２５】
以上のように、自動排尿処理装置１００は、陰圧を発生させる吸引パック３と、吸引パック３の陰圧によって通気を遮断することが可能な弁チューブ２３を備える簡易な構成でありつつ、排尿時に尿を吸引パック３に吸引することと、排尿時以外では吸引を停止することを自動的に切り替えて、好適に排尿を処理することができる。
【００２６】
特に、自動排尿処理装置１００において、排尿時以外では弁チューブ２３が閉じられることで、吸引パック３が膨らむことを停止させることができるので、吸引パック３が完全に膨らむまで尿を吸引し続けることができ、吸引パック３の容量が一杯となるまで尿を貯留することが可能になる。
また、自動排尿処理装置１００は、真空ポンプなどを備える排尿処理装置のように、比較的大きな音を発生させることがないので、夜間などにおいて使用者や介助者の睡眠を妨げることなく使用することができる。
【００２７】
（実施形態２）
次に、本発明に係る自動排尿処理装置の実施形態２について説明する。なお、実施形態１と同一部分には同一符号を付し、異なる部分についてのみ説明する。
【００２８】
導尿チューブ２は、図５に示すように、内壁面に凹凸部２４ａが形成された弁チューブ２４を備えるようにしてもよい。
この凹凸部２４ａは、弁チューブ２４が圧縮された際に通気可能な空間を残さず、内壁面同士を密着させるために、対向する内壁面にそれぞれ互い違いとなるように設けられた凹凸からなる。
つまり、排尿がない状態であって、吸引パック３の陰圧によって弁チューブ２４の内壁面同士が密着する際に、対向する内壁面の凸部と凹部が組み合わさるようになって、隙間無く密着する。
【００２９】
このような弁チューブ２４を備える導尿チューブ２であれば、排尿がない場合に、弁チューブ２４における流路をしっかり閉じて、吸引パック３への吸引を停止する状態をより良好に維持することができる。
【００３０】
（実施形態３）
次に、本発明に係る自動排尿処理装置の実施形態３について説明する。なお、実施形態１と同一部分には同一符号を付し、異なる部分についてのみ説明する。
【００３１】
導尿チューブ２は、図６に示すように、尿レシーバ１側に接続される第一チューブ２１と、吸引パック３側に接続される第二チューブ２２と、第一チューブ２１と第二チューブ２２とを接続する弁チューブ２３と、第一チューブ２１と第二チューブ２２とを接続するとともに、弁チューブ２３の外側を覆う保護チューブ２５を備えている。
【００３２】
保護チューブ２５は、尿が通過可能な空間を維持する剛性を有する素材からなり、例えば、金属性メッシュにて強化されたポリウレタンやシリコンゴムなどからなるチューブであって、第一チューブ２１や第二チューブ２２と同じように、使用状況等に応じて曲げられるものの、常に内部空間を確保しつつ変形するチューブである。
そして、保護チューブ２５は、その内部空間において、弁チューブ２３が外的要因によって潰されたり広げられたりするなど変形されないように保護している。
つまり、弁チューブ２３は、保護チューブ２５によって確保された空間内において、吸引パック３による陰圧によって圧縮されて、通気を遮断するように流路を閉じることと、排尿された尿の内圧によって拡張されて、流路を開くことを切り替え可能になっている。
【００３３】
このように、弁チューブ２３は、保護チューブ２５によって覆われて保護されているため、外的要因によって弁チューブ２３が変形されることはないので、常に弁チューブ２３内の通気を遮断することと、弁チューブ２３内に尿を通過させることを、好適に切り替えることができる。
そして、排尿時には尿を吸引パック３に確実に吸引し、排尿時以外では吸引を確実に停止し続けることができ、より好適な排尿処理が可能になる。
【００３４】
なお、以上の実施の形態においては、保護チューブ２５は弁チューブ２３を覆って保護する部材であるとしたが、本発明はこれに限定されるものではなく、例えば、保護チューブ２５は弁チューブ２３の内径が細くなるように保持して、弁チューブ２３の圧縮と拡張による尿の流路の閉開の切り替えを速やかに行うことを補助する部材であってもよい。
【００３５】
また、その他、具体的な細部構造等についても適宜に変更可能であることは勿論である。
【図面の簡単な説明】
【００３６】
【図１】本発明に係る自動排尿処理装置を示す概略図である。
【図２】自動排尿処理装置の導尿チューブを示す拡大断面図である。
【図３】導尿チューブの弁チューブを示す説明図であり、弁チューブが開いた状態の概略側面図（ａ）および断面図（ｃ）と、弁チューブが閉じた状態の概略側面図（ｂ）および断面図（ｄ）である。
【図４】導尿チューブの弁チューブを示す説明図であり、閉じていた弁チューブが拡張される状態の概略側面図（ａ）と、弁チューブが拡張されて開いた状態の概略側面図（ｂ）である。
【図５】弁チューブの変形例を示す拡大断面図である。
【図６】導尿チューブの変形例を示す拡大断面図である。
【図７】従来の自動排尿処理装置を示す概略図である。
【符号の説明】
【００３７】
１      尿レシーバ
２      導尿チューブ
２１    第一チューブ
２２    第二チューブ
２３    弁チューブ
２４    弁チューブ
２４ａ  凹凸部
２５    保護チューブ
３      吸引パック
１００  自動排尿処理装置
【図１】
2010081981.tif 000003
【図２】
2010081981.tif 000004
【図３】
2010081981.tif 000005
【図４】
2010081981.tif 000006
【図５】
2010081981.tif 000007
【図６】
2010081981.tif 000008
【図７】
2010081981.tif 000009